(57)【要約】【課題】複数の余長収納トレイ間、あるいは余長収納トレイを構成する上段トレイと下段トレイとの間の光ファイバ引回し配線を効率よく行う。【解決手段】余長収納トレイ１を構成する上段トレイ３と下段トレイ５との間に光ファイバ７を引回して配線する際に、前記上段トレイ３と下段トレイ５との間を、複数の光ファイバ７を挿通可能な内径を有し且つ前記光ファイバ７を挿通時の滑走性を有するスルーチューブ３７で連通し、このスルーチューブ３７内に前記光ファイバ７を挿通して配線する。心線増設する際には、新たな光ファイバ７を前記既存のスルーチューブ３７内に挿通できるので、効率よく増設配線できる。【選択図】図１
2006003532.tif 000002
【特許請求の範囲】
【請求項１】
光ファイバを余長収納する複数の余長収納トレイ間に光ファイバを引回して配線する際に、
前記余長収納トレイ間を、複数の光ファイバが挿通可能な内径を有し且つ前記光ファイバを挿通時の滑走性を有するスルーチューブで連通し、このスルーチューブ内に前記光ファイバを挿通して配線することを特徴とする余長収納トレイにおける光ファイバ引回し方法。
【請求項２】
光ファイバを余長収納する上段トレイと下段トレイとを重ねて構成した余長収納トレイにおける前記上段トレイと下段トレイとの間に光ファイバを引回して配線する際に、
前記上段トレイと下段トレイとの間を、複数の光ファイバが挿通可能な内径を有し且つ前記光ファイバを挿通時の滑走性を有するスルーチューブで連通し、このスルーチューブ内に前記光ファイバを挿通して配線することを特徴とする余長収納トレイにおける光ファイバ引回し方法。
【請求項３】
前記スルーチューブがナイロン製のチューブであることを特徴とする請求項１又は２記載の余長収納トレイにおける光ファイバ引回し方法。
【請求項４】
前記スルーチューブを前記各トレイ内部に延長して配置すると共に、このスルーチューブ内に光ファイバを挿通して各トレイ内部に余長収納することを特徴とする請求項１，２又は３記載の余長収納トレイにおける光ファイバ引回し方法。
【請求項５】
追加回線を増設する際に、前記スルーチューブ内に前記追加回線の光ファイバを挿通して引回し配線することを特徴とする請求項１，２，３又は４記載の余長収納トレイにおける光ファイバ引回し方法。
【請求項６】
光ファイバを余長収納する複数の余長収納トレイ間をスルーチューブで連通すると共に、前記余長収納トレイ間を引回し配線する光ファイバを前記スルーチューブ内に挿通して構成し、前記スルーチューブを、複数の光ファイバが挿通可能な内径を有し且つ前記光ファイバを挿通時の滑走性を有する樹脂製チューブで構成してなることを特徴とする余長収納トレイ。
【請求項７】
光ファイバを余長収納する上段トレイと下段トレイとを重ねて構成する余長収納トレイにおいて、
前記上段トレイと下段トレイとの間をスルーチューブで連通すると共に、前記上段トレイと下段トレイとの間を引回し配線する光ファイバを前記スルーチューブ内に挿通して構成し、前記スルーチューブを、複数の光ファイバが挿通可能な内径を有し且つ前記光ファイバを挿通時の滑走性を有する樹脂製チューブで構成してなることを特徴とする余長収納トレイ。
【請求項８】
前記スルーチューブをナイロン製のチューブで構成してなることを特徴とする請求項６又は７記載の余長収納トレイ。
【請求項９】
前記スルーチューブを、前記各トレイ内部に延長して配置してなることを特徴とする請求項６，７又は８記載の余長収納トレイ。
【発明の詳細な説明】
【技術分野】
【０００１】
この発明は、架空クロージャ、地下ケーブル、光配線盤内に収納され、光ファイバ心線の余長、保護、収納などに利用される余長収納トレイにおいて、特に余長収納トレイ間で光ファイバ心線などの光ファイバを引き回す際に、効率よく回線増設するための余長収納トレイにおける光ファイバ引回し方法及び余長収納トレイに関する。
【背景技術】
【０００２】
近年、光通信ネットワークでは、光ファイバケーブルに設置される光クロージャや光配線盤、光成端箱などに余長収納トレイが設けられている。前記光ファイバケーブルから引き出された光ファイバ同士が融着接続や光コネクタ接続によって接続され、前記光ファイバの接続部及び接続余長が余長収納トレイ内に整理して収納される。
【０００３】
上記の余長収納トレイとしては、上段トレイと下段トレイとを上下に積み重ねて１組として構成される。この余長収納トレイの複数組が、例えば光クロージャの内部に設けた棚構造のトレイ収納ケースに挿脱自在に内装配備されるものである。
【０００４】
従来、余長収納トレイにおける光ファイバ引回し方法としては、上記の余長収納トレイ間、あるいは上段トレイと下段トレイとの間で、光ファイバ心線や光ファイバテープ心線などの光ファイバを引回し配線する際に、例えば一本乃至は複数本の光ファイバ心線あるいは４心などの多心からなる光ファイバテープ心線がスパイラルシリコンチューブなどの保護チューブで被覆、保護され、引回し配線されている（例えば、特許文献１参照）。
【特許文献１】特開２００３−２１５３５５号公報
【発明の開示】
【発明が解決しようとする課題】
【０００５】
ところで、従来の余長収納トレイにおける光ファイバ引回し方法においては、例えば、追加回線を増設する場合、一本乃至は複数本の光ファイバ心線あるいは光ファイバテープ心線がシリコン製の保護チューブで被覆、保護されているので、保護チューブ内に余剰回線を挿通することができない。そのために、加入者増設回線が発生する都度、新たな回線用の保護チューブを用いる必要があるので、実際には配線に制限があり、さらには回線増設作業を効率よく行うことが難しいという問題点があった。
【０００６】
この発明は上述の課題を解決するためになされたものである。
【課題を解決するための手段】
【０００７】
この発明の余長収納トレイにおける光ファイバ引回し方法は、光ファイバを余長収納する複数の余長収納トレイ間に光ファイバを引回して配線する際に、
前記余長収納トレイ間を、複数の光ファイバが挿通可能な内径を有し且つ前記光ファイバを挿通時の滑走性を有するスルーチューブで連通し、このスルーチューブ内に前記光ファイバを挿通して配線することを特徴とするものである。
【０００８】
この発明の余長収納トレイにおける光ファイバ引回し方法は、光ファイバを余長収納する上段トレイと下段トレイとを重ねて構成した余長収納トレイにおける前記上段トレイと下段トレイとの間に光ファイバを引回して配線する際に、
前記上段トレイと下段トレイとの間を、複数の光ファイバが挿通可能な内径を有し且つ前記光ファイバを挿通時の滑走性を有するスルーチューブで連通し、このスルーチューブ内に前記光ファイバを挿通して配線することを特徴とするものである。
【０００９】
また、この発明の余長収納トレイにおける光ファイバ引回し方法は、前記余長収納トレイにおける光ファイバ引回し方法において、前記スルーチューブがナイロン製のチューブであることが好ましい。
【００１０】
また、この発明の余長収納トレイにおける光ファイバ引回し方法は、前記余長収納トレイにおける光ファイバ引回し方法において、前記スルーチューブを前記各トレイ内部に延長して配置すると共に、このスルーチューブ内に光ファイバを挿通して各トレイ内部に余長収納することが好ましい。
【００１１】
また、この発明の余長収納トレイにおける光ファイバ引回し方法は、前記余長収納トレイにおける光ファイバ引回し方法において、追加回線を増設する際に、前記スルーチューブ内に前記追加回線の光ファイバを挿通して引回し配線することが好ましい。
【００１２】
この発明の余長収納トレイは、光ファイバを余長収納する複数の余長収納トレイ間をスルーチューブで連通すると共に、前記余長収納トレイ間を引回し配線する光ファイバを前記スルーチューブ内に挿通して構成し、前記スルーチューブを、複数の光ファイバが挿通可能な内径を有し且つ前記光ファイバを挿通時の滑走性を有する樹脂製チューブで構成してなることを特徴とするものである。
【００１３】
この発明の余長収納トレイは、光ファイバを余長収納する上段トレイと下段トレイとを重ねて構成する余長収納トレイにおいて、
前記上段トレイと下段トレイとの間をスルーチューブで連通すると共に、前記上段トレイと下段トレイとの間を引回し配線する光ファイバを前記スルーチューブ内に挿通して構成し、前記スルーチューブを、複数の光ファイバが挿通可能な内径を有し且つ前記光ファイバを挿通時の滑走性を有する樹脂製チューブで構成してなることを特徴とするものである。
【００１４】
また、この発明の余長収納トレイは、前記余長収納トレイにおいて、前記スルーチューブをナイロン製のチューブで構成することが好ましい。
【００１５】
また、この発明の余長収納トレイは、前記余長収納トレイにおいて、前記スルーチューブを、前記各トレイ内部に延長して配置することが好ましい。
【発明の効果】
【００１６】
以上のごとき課題を解決するための手段から理解されるように、この発明によれば、複数の余長収納トレイ間をスルーチューブで連通し、このスルーチューブが複数の光ファイバを挿通可能な内径を有し且つ前記光ファイバを挿通時の滑走性を有するので、前記光ファイバを前記スルーチューブ内に容易に挿通して効率よく配線することができる。また、回線増設する際に、新たな光ファイバを既存のスルーチューブを活用して容易に挿通することができるので、効率よく増設配線することができる。
【００１７】
また、上記の効果は、余長収納トレイを構成する上段トレイ及び下段トレイとの間で光ファイバの引回し配線を行う場合においても同様である。
【発明を実施するための最良の形態】
【００１８】
以下、この発明の実施の形態について図面を参照して説明する。
【００１９】
図１乃至は図４を参照するに、光ファイバケーブル用クロージャにおける余長収納トレイ１は、ポリプロピレン等のプラスチック成型品であり、上段トレイ３と下段トレイ５とを上下に積み重ねて１組として構成される。この余長収納トレイ１の複数組が、図示しない光クロージャの内部に設けた棚構造のトレイ収納ケースに挿脱自在に内装配備されるものである。
【００２０】
図１では上段トレイ３と下段トレイ５との間で光ファイバとしての例えば光ファイバ心線７が引き回される状態を示すために、単に上段トレイ３と下段トレイ５とをずらした状態を図示しているが、実際には上段トレイ３と下段トレイ５は各蓋部９、１１を開閉するためにそれぞれ独立してトレイ収納ケースから挿脱することができるように構成されている。
【００２１】
この実施の形態では、上段トレイ３及び下段トレイ５の外形形状は若干の違いがあるもののほぼ同様の構造であり、細長い概ね長円状の外形形状を有している。図４では上段トレイ３は蓋部９を閉じた状態で内部を図示省略としている。下段トレイ５は蓋部１１を開いた状態であり、この下段トレイ５について詳しく説明し、上段トレイ３については下段トレイ５と同様の部材に同符号を付して説明を省略する。
【００２２】
例えば、下段トレイ５はトレイ底板部１３を備えており、このトレイ底板部１３の周囲にはこのトレイ底板部１３と一体の直線状の側壁１５、１７が設けられ、この各側壁１５、１７の左右には概ねＣ形状の側壁１９、２１が一体化されている。
【００２３】
前記側壁１７には蓋部１１がヒンジ部２３を支点に開閉自在に設けられている。そして、この蓋部１１の図４において下側の端部には左右方向へ適宜な間隔で係合爪２５が３箇所に設けられていると共に前記下段トレイ５の側壁１５には前記係合爪２５に対応した位置に係合凹部２７が設けられている。図４の状態は蓋部１１が開いた状態にあり、蓋部１１を閉めた場合には各係合爪２５が各係合凹部２７にはまり込むようになっている。
【００２４】
前記側壁１５、１７の上縁部の複数箇所には心線押さえ用舌片２９、３１がそれぞれ内方に延出されている。同様に、側壁１９、２１の上縁部の複数箇所には心線押さえ用舌片３３、３５がそれぞれ内方に延出されている。前記側壁１７の両端部と概ねＣ形状の側壁１９、２１との間のスペースには、例えば一本乃至は複数本の光ファイバ心線７あるいは４心などの多心からなる光ファイバテープ心線を挿通するスルーチューブ３７が導入される導入口３９が設けられている。この導入口３９は仕切版４１により複数に分割されており、この実施の形態では２分割されている。
【００２５】
また、前記トレイ底板部１３の両側は余長収納部４３となっていると共にほぼ中央部分には光接続部収納領域４５となっている。この光接続部収納領域４５には複数の融着スリーブ（光接続群ホルダ）４７が浅く平坦な矩形凹所４９にはまり込まれるようになっている。前記各余長収納部４３には内側トレイ部５１が設けられていると共にこの内側トレイ部５１のほぼ中央部には外方へ突出した心線押さえ用舌片５３が一体化されている。
【００２６】
また、この発明の実施の形態の主要部を構成するスルーチューブ３７は、ナイロン製となっており、内径が複数本の光ファイバ心線７あるいは光ファイバテープ心線を挿通可能な大きさとなっている。なお、上記のスルーチューブ３７は、各余長収納トレイ１間で心線を引き回すためにも、あるいは上段トレイ３と下段トレイ５との間で光ファイバ心線７を引き回すためにも用いられる「スルーチューブ」である。さらに、上段トレイ３と下段トレイ５の各トレイ内で光ファイバ心線７を引き回すためにも用いられる。このナイロン製のスルーチューブ３７は、従来のシリコン製の保護チューブに比べて内部に挿通される光ファイバ心線７の滑り（滑走性）が良好である。
【００２７】
一方、上段トレイ３は、図４において上部の左右に、上述した下段トレイ５と同様に一本乃至は複数本の光ファイバ心線７あるいは光ファイバテープ心線を挿通するスルーチューブ３７が導入される導入口５５が設けられている。この導入口５５は上述した下段トレイ５の導入口３９と若干異なるが、ほぼ同様の構造で、仕切版５７により複数に分割されており、この実施の形態では２分割されている。なお、前記導入口５５には、図１及び図３に示されているようにスルーチューブ３７を側方から挟んで押さえるための突起状の係止部５９が導入口５５の長手方向に交互に突設されている。なお、前述した下段トレイ５の導入口３９にも、図示していないが同様の係止部が設けられている。
【００２８】
上記構成により、余長収納トレイ１における心線引回し方法について、下段トレイ５の場合で詳しく説明すると、複数本の光ファイバ心線７を挿通したスルーチューブ３７が下段トレイ５の右方から導入口３９を経て導入され、このスルーチューブ３７が各心線押さえ用舌片３１、左側の心線押さえ用舌片３３および左側の心線押さえ用舌片２９内を通って引き回され、このスルーチューブ３７の端部３７Ｅから各光ファイバ心線７が各融着スリーブ４７で保持される。
【００２９】
また、下段トレイ５の左方から複数本の光ファイバ心線７を挿通したスルーチューブ３７が導入口３９から導入され、各光ファイバ心線７が各心線押さえ用舌片３１、右側の心線押さえ用舌片３５および右側の心線押さえ用舌片２９内を通って引き回され、このスルーチューブ３７の端部３７Ｅから各光ファイバ心線７が各融着スリーブ４７で保持される。
【００３０】
そして、この各融着スリーブ４７に保持された各光ファイバ心線７の光ファイバが図示省略の光融着接続機により融着されて接続されるようになっている。
【００３１】
一方、余長収納トレイ１の上段トレイ３では、左方から複数本の光ファイバ心線７を挿通したスルーチューブ３７が導入口５５から導入され、このスルーチューブ３７が上段トレイ３の内部で、前述した下段トレイ５における心線引回しと同様に心線引回しが行われ、各光ファイバ心線７が各融着スリーブ４７で保持される。
【００３２】
また、上段トレイ３の右方から複数本の光ファイバ心線７を挿通したスルーチューブ３７が導入口５５から導入され、このスルーチューブ３７が上段トレイ３の内部で心線引回しが行われ、各光ファイバ心線７が各融着スリーブ４７で保持される。この各融着スリーブ４７に保持された各光ファイバ心線７の光ファイバが図示省略の光融着接続機により融着されて接続される。
【００３３】
上述した例では、スルーチューブ３７が上段トレイ３と下段トレイ５の内部に延長して配置され、複数の光ファイバ心線７がスルーチューブ３７内を挿通されているが、他の例としてはスルーチューブ３７が導入口３９，５５で押さえられ、この導入口３９，５５の付近でスルーチューブ３７の端部から引き出された複数の光ファイバ心線７が別々に各トレイ３，５の内部に配線収納されるように構成しても構わない。
【００３４】
以上のように、上段トレイ３及び下段トレイ５ではそれぞれが上記の心線引回し及び融着接続を行われてから、例えば図４において二点鎖線のスルーチューブ３７Ａで示されているように外部へ配線することができるが、上段トレイ３と下段トレイ５との間で図４の右側の実線のスルーチューブ３７Ｂを経て光ファイバ心線７を引き回すことも行われる。
【００３５】
例えば、追加回線を増設する場合、図１に示されているように、既存のスルーチューブ３７Ｂの中に活線の光ファイバ心線７Ａ（この図では、単に１本の活線を図示している）が挿通されているが、追加回線の光ファイバ心線７Ｂが上段トレイ３の右方の導入口５５から既存のスルーチューブ３７Ｂを経て下段トレイ５の右方の導入口３９から内部へ配線される。
【００３６】
このとき、スルーチューブ３７Ｂがナイロン製であることから、内部に挿通される光ファイバ心線７の滑りが良好であることと、スルーチューブ３７Ｂの内径が複数の光ファイバ心線７を挿通可能な余裕を持った大きさを有しているので、増設心線７Ｂは既存のスルーチューブ３７Ｂを活用して容易に挿通することができ、光ファイバ心線７を効率よく引回し配線することができる。ちなみに、従来のようにシリコン製の保護チューブにあっては余剰回線を挿通することができないために、加入者増設回線が発生する都度、新たな回線用の保護チューブを用いる必要があるために実際には配線に制限があった。
【００３７】
上記の光ファイバ心線７の引回し配線は、配線すべき複数の余長収納トレイ１間においても、あるいは前述したように上段トレイ３及び下段トレイ５との間においても、前述したように各トレイ間を連通するスルーチューブ３７による同様の作用効果がある。
【図面の簡単な説明】
【００３８】
【図１】この発明の実施の形態を示すもので、余長収納トレイを構成する上段トレイと下段トレイとの間でスルーチューブが配置される状態を示す斜視図である。
【図２】図１のスルーチューブ３７Ｂの断面図である。
【図３】図１の導入口５５の詳細を示す部分的な拡大図である。
【図４】この発明の実施の形態の余長収納トレイを示す平面展開図である。
【符号の説明】
【００３９】
１  余長収納トレイ（光ファイバケーブル用クロージャの）
３  上段トレイ
５  下段トレイ
７  光ファイバ心線
９、１１  蓋部
１３  トレイ底板部
１５、１７  側壁
１９、２１  側壁
１１  蓋部
２３  ヒンジ部
２５  係合爪
２７  係合凹部
２９、３１  心線押さえ用舌片（側壁１５、１７の）
３３、３５  心線押さえ用舌片（側壁１９、２１の）
３７，３７Ａ，３７Ｂ  スルーチューブ
３７Ｅ  端部
３９  導入口
４１  仕切版
４３  余長収納部
４５  光接続部収納領域
４７  融着スリーブ（光接続群ホルダ）
４９  矩形凹所
５１  内側トレイ部
５３  心線押さえ用舌片
５５  導入口
５７  仕切版
５９  係止部
【図１】
2006003532.tif 000003
【図２】
2006003532.tif 000004
【図３】
2006003532.tif 000005
【図４】
2006003532.tif 000006